(57)【要約】【課題】高価な部品や機構を追加することなく、排出用紙における端部エッジ汚れを低減させ且つ用紙揃え精度を向上させたシート排出装置を提供する。【解決手段】上向きカールの印刷済用紙１を後端ストッパ２５とガイドＡ２５ａの下端と、後端ストッパ２５間にある排出ローラ対１０の表面から１ｍｍ以上外側でかつ用紙積載テーブル４上面に対して上方に６５°以下の角度の平面を形成するガイドＢ２５ｂを排出ローラ対１０の両側に設けることにより、上向きカールの印刷済用紙エッジ１ｂに浮き上がりが発生しても後端ストッパ２５とガイドＢ２５ｂが交差した部分に印刷済用紙エッジ１ｂが当たるようにしたガイドを設ける。【選択図】  図１
2008120507.tif 000002
【特許請求の範囲】
【請求項１】
画像形成装置から送られてくる用紙を用紙進行方向に送出する排出ローラと、
前記排出ローラの回転軸上に実装され排出ローラと同一回転で回転する用紙叩き落とし弾性体と、
前記用紙を用紙積載位置に積み重ねて収容する用紙積載テーブルと、
前記用紙積載テーブルの上方でかつ用紙進行方向の下流に配置され、用紙進行方向に往復摺動することにより用紙を整列位置まで戻す用紙整列部材と、を有するシート排出装置において、
前記排出ローラの下流側表面が０．５ｍｍ以上露出する位置に設けた第１の用紙ガイドと、
前記用紙積載テーブルに垂直で且つ前記第１の用紙ガイド表面から３ｍｍ以上用紙搬送方向上流側に、前記排出ローラの下流側表面に接する平面に対して平行な平面を形成する、積載された用紙の後端位置決め部材と、
前記第１の用紙ガイドの下端と、前記後端位置決め部材の間にある前記排出ローラの表面から１ｍｍ以上外側で且つ、前記用紙積載テーブル上面に対して上方に６５°以下の角度の平面を形成する第２の用紙ガイドを備えたことを特徴とするシート排出装置。
【請求項２】
前記第１の用紙ガイド、第２の用紙ガイド及び後端位置決め部材を一体に構成する用紙ガイド部材を用紙搬送幅方向に複数設けたことを特徴とする請求項１記載のシート排出装置。
【請求項３】
画像形成装置本体の後段に請求項１または請求項２記載のシート排出装置を接続したことを特徴とする画像形成装置。
【発明の詳細な説明】
【技術分野】
【０００１】
本発明は、電子写真法を用いる複写機、レーザビームプリンタ等の画像形成装置本体の後段に接続されるシート排出装置及びそれを備えた画像形成装置に関するものである。
【背景技術】
【０００２】
従来、画像形成装置本体の後段に設けられ、画像形成装置本体から出力される印刷済み用紙を揃えて積み重ねていくシート排出装置において、テーブル上に積み重ねられた印刷済み用紙は、印刷時における用紙の含水率や印刷パターン等により印刷済用紙にそりが発生し、シート排出装置のテーブル上で印刷済用紙端が上向きにカールし浮き上がりやすくなるから、印刷済用紙の浮き上がりを抑えるために、用紙整列ガイドにテーブル上の用紙端部を積極的に接触させるような構成になっている。
【発明の開示】
【発明が解決しようとする課題】
【０００３】
従来の用紙整列部材で印刷済用紙を移動させ、用紙整列ガイドにテーブル上の印刷済み用紙端部を接触させる手段では、印刷済用紙のそり具合で用紙整列ガイドへの用紙端の当たり方等で排出ローラとテーブル上の用紙端部が接触し、印刷済用紙の端部汚れや排出ローラの異常磨耗及び整列性悪化が問題となっていた。
【０００４】
本発明では、シート排出装置内に排出される印刷済用紙の用紙整列性を悪化させることなく、用紙端部の汚れを防止するシート排出装置およびそれを備えた画像形成装置を提供することを目的としている。
【課題を解決するための手段】
【０００５】
前記目的を達成するため本発明の第１の手段は、画像形成装置から送られてくる用紙を用紙進行方向に送出する排出ローラと、前記排出ローラの回転軸上に実装され排出ローラと同一回転で回転する用紙叩き落とし弾性体（パドル）と、前記用紙を用紙積載位置に積み重ねて収容する用紙積載テーブルと、前記用紙積載テーブルの上方でかつ用紙進行方向の下流に配置され、用紙進行方向に往復摺動することにより用紙を整列位置まで戻す用紙整列部材とを有するシート排出装置を対象とするものである。そして、前記排出ローラの下流側表面が０．５ｍｍ以上露出する位置に設けた第１の用紙ガイド（以下、ガイドＡという）と、前記用紙積載テーブルに垂直で且つ、前記ガイドＡ表面から３ｍｍ以上用紙搬送方向上流側に、前記排出ローラの下流側表面に接する平面に対して平行な平面を形成する、積載された用紙の後端位置決め部材（以下、用紙後端ストッパという）と、前記ガイドＡの下端と、前記用紙後端ストッパの間にある前記排出ローラの表面から１ｍｍ以上外側で且つ、前記用紙積載テーブル上面に対して上方に６５°以下の角度の平面を形成する第２の用紙ガイド（以下、ガイドＢという）を備えたことを特徴とするものである。
【０００６】
本発明の第２の手段は前記第１の手段において、前記ガイドＡ、ガイドＢ及び用紙後端ストッパを一体に構成する用紙ガイド部材を用紙搬送幅方向に複数設けたことを特徴とするものである。
【０００７】
本発明の第３の手段は画像形成装置において、画像形成装置本体の後段に前記第１の手段または第２の手段のシート排出装置を接続したことを特徴とするものである。
【発明の効果】
【０００８】
本発明によれば新たに部品を追加することなく、既存部品の形状変更とパドル長を最適にすることにより印刷済用紙端の汚れ付着、テーブル上の用紙整列性悪化を防ぐ効果を持ったシート排出装置およびそれを備えた画像形成装置を提供することができる。
【発明を実施するための最良の形態】
【０００９】
本発明は前述のように、シート排出装置内に排出された印刷済用紙と排出ローラとが接触しないように、排出ローラ外周部の上流側ガイドと接線方向に角度を持ったガイドを用紙搬送幅方向に複数個設けることと合わせ、排出ローラと同軸上で同一回転するパドルを用紙搬送幅方向に複数個設けることにより達成される。
【００１０】
以下図面に沿って、本発明を具体化した実施例について説明する。図１は本発明の実施例に掛るシート排出装置の用紙排出状態を示す拡大断面図、図２はそのシート排出装置の用紙排出状態を示す縦断面図、図３はそのシート排出装置の用紙排出状態を示す平面図、図４そのシート排出装置の用紙排出状態を示す拡大断面図、図５はそのシート排出装置の用紙揃え機構部を示す構成図である。
【００１１】
図中の１は印刷済用紙、１ｂは印刷済用紙後端エッジ、２はシート排出装置本体、３は画像形成装置本体、４は用紙積載テーブル、１０は排出ローラ対、１１は排出ローラ対軸、１３はパドル、１５はモータ、１６は動力伝達ベルト、１８は用紙積載上面検出センサ、２０は先端ストッパ、２１は用紙上面押さえローラ、２５は後端ストッパ、２５ａは後端ストッパガイドＡ、２５ｂは後端ストッパのガイドＢである。
【００１２】
図５に示すようにシート排出装置２は、複写機及びレーザプリンタなどの画像形成装置本体３の後方に配置、接続されている。
【００１３】
画像形成装置本体３から送り込まれてくる印刷済用紙１を用紙進行方向に送り出す排出ローラ対１０と、排出ローラ対１０の回転軸１１上に実装され排出ローラ対１０と同一で回転するパドル１３から送り出されてくる印刷済用紙１を積み重ね収容する昇降可能な用紙積載テーブル４と、スタック部用紙進行方向と直行方向に印刷済用紙１を整列させる摺動可能な用紙整列部材２０（先端ストッパ）とを有している。
【００１４】
前記先端ストッパ２０は、モータ１５からの動力を、動力伝達ベルト１６を介してスタックされる印刷用紙１のサイズに併せて摺動し印刷済用紙１の先端部エッジを１枚毎に用紙進行方向とは逆方向に押し付けることにより、印刷済用紙１の後端エッジ１ｂは排出ローラ対１０近傍の一定位置に固定された櫛歯状の用紙整列部材２５（後端ストッパ）との間で揃えられ、パドル１３の回転により印刷済用紙１の後端エッジ１ｂの浮き上がりを防止している。また、整列性を向上させるために、用紙積載テーブル４の上に排出された印刷済用紙１の上面を押さえるために複数個配列された用紙上面押さえローラ２１と、用紙積載面上面を検出するセンサ１８とを備えている。
【００１５】
図４に示すように、印刷時における用紙の含水率や印刷パターン等により印刷済用紙１にそりが発生し、シート排出装置の用紙積載テーブル４上で印刷済用紙後端エッジ１ｂが上向きにカールし浮き上がりが発生した場合に、パドル１３の押さえ付けだけでは不十分なため排出ローラ対１０に印刷済用紙後端エッジ１ｂが接触することにより、排出ローラ対１０の外周の汚れ（トナーカスや紙分等）を印刷済用紙後端エッジ１ｂに付着させてしまうばかりか揃え精度を悪化させる要因となっている。
【００１６】
そのため図１及び図２に示すように、後端ストッパ２５は排出ローラ対１０の下流側表面が０．５ｍｍ以上露出する位置に設けたガイドＡ２５aと、用紙積載テーブルに垂直でかつ排出ローラ対１０の下流側表面に接する平面に対して平行に、ガイドＡ２５a表面から３ｍｍ以上用紙搬送方向上流側に、用紙積載テーブル４に垂直な平面を形成する、積載された用紙の後端位置決め部材用紙の後端ストッパ２５とガイドＡ２５ａの下端と、後端ストッパ２５間にある排出ローラ対１０の表面から１ｍｍ以上外側でかつ用紙積載テーブル４上面に対して上方に６５°以下の角度の平面を形成するガイドＢ２５ｂを排出ローラ対１０の両側に設ける。
【００１７】
このことにより、上向きカールの印刷済用紙１が用紙積載テーブル４上に排出された場合でも、パドル１３と先端ストッパ２０で後端ストッパ２５に突き当たり整列する。その後、印刷済用紙エッジ１ｂに浮き上がりが発生しても後端ストッパ２５とガイドＢ２５ｂが交差した部分に印刷済用紙エッジ１ｂが当たり浮き上がりを抑え印刷済用紙１後端汚れを防止しさらに用紙揃え精度の悪化を抑えることが可能となる。
【産業上の利用可能性】
【００１８】
以上説明したシートは排出装置に加え、綴じ処理、折り畳み処理等の後処理装置に用いることも可能である。
【図面の簡単な説明】
【００１９】
【図１】本発明の実施例に掛るシート排出装置の用紙排出状態を示す拡大断面図である。
【図２】そのシート排出装置の用紙排出状態を示す縦断面図である。
【図３】そのシート排出装置の用紙排出状態を示す平面図である。
【図４】そのシート排出装置の用紙排出状態を示す拡大断面図である。
【図５】そのシート排出装置の実施方法の用紙揃え機構部を示す構成図である。
【符号の説明】
【００２０】
１は印刷済用紙、１ｂは印刷済用紙後端エッジ、２はシート排出装置、３は画像形成装置本体、４は用紙積載テーブル、１０は排出ローラ対、１１は排出ローラ対軸、１３はパドル、１５はモータ、１６は動力伝達ベルト、１８は用紙積載上面検出センサ、２０は先端ストッパ、２１は用紙上面押さえローラ、２５は後端ストッパ、２５ａは後端ストッパガイドＡ、２５ｂは後端ストッパのガイドＢである。
【図１】
2008120507.tif 000003
【図２】
2008120507.tif 000004
【図３】
2008120507.tif 000005
【図４】
2008120507.tif 000006
【図５】
2008120507.tif 000007